(57)【要約】【課題】使い捨ておむつのサイズ等に合わせた細かなサイズ調整が容易であるとともに、除去又は交換を要する部分のみを分離可能であり、かつ、吸収漏れが生じ難い、尿取りパッド等として好適な連結吸収性物品を提供可能な吸収性物品ユニットを提供する。【解決手段】吸収体２と、トップシート部３ａ及びバックシート部３ｂで吸収体２を挟持して保持する被覆シート３とを備え、トップシート部３ａの端部とバックシート部３ｂの端部が接合されたシール領域４が形成されており、シール領域４のトップシート部３ａ側の面上に機械的係合手段５が付設されているとともに、バックシート部３ｂの、機械的係合手段５が付設されたシール領域４と対向する辺の端部に、機械的係合手段５と係合可能な係合領域６を有する吸収性物品ユニット１である。【選択図】図１
2009219685.tif 000002
【特許請求の範囲】
【請求項１】
略四角板状を呈する吸収体と、トップシート部及びバックシート部を有するとともに、前記トップシート部及び前記バックシート部で前記吸収体を挟持して保持する、少なくとも前記トップシート部の一部が液透過性材料で構成された被覆シートと、を備え、
前記トップシート部の端部と前記バックシート部の端部が接合された、少なくとも一つのシール領域が形成されており、
前記シール領域の前記トップシート部側の面上に機械的係合手段が付設されているとともに、前記バックシート部の、前記機械的係合手段が付設された前記シール領域と対向する辺の端部に、前記機械的係合手段と係合可能な係合領域を有する吸収性物品ユニット。
【請求項２】
前記機械的係合手段が、前記シール領域の前記トップシート部側の面上に剥離可能に付設されている請求項１に記載の吸収性物品ユニット。
【請求項３】
前記シール領域が、切り離し可能であるか、又は前記バックシート部側に折り返し可能である請求項１に記載の吸収性物品ユニット。
【請求項４】
前記トップシート部と前記吸収体の少なくともいずれかに、尿に反応して変色する指示薬が塗布されている請求項１〜３のいずれか一項に記載の吸収性物品ユニット。
【請求項５】
前記機械的係合手段が、メカニカルファスナーのフック材であるとともに、
前記係合領域が、前記フック材と係合可能なループ材又は繊維状の表面を有する素材で構成されている請求項１〜４のいずれか一項に記載の吸収性物品ユニット。
【請求項６】
前記バックシート部の面上に、メカニカルファスナーのフック材、又は粘着テープが付設されている請求項１〜５のいずれか一項に記載の吸収性物品ユニット。
【請求項７】
請求項１〜６のいずれか一項に記載の吸収性物品ユニットを複数備え、
一の前記吸収性物品ユニットの前記機械的係合手段と、他の前記吸収性物品ユニットの前記係合領域とが係合することで連結した連結吸収性物品。
【発明の詳細な説明】
【技術分野】
【０００１】
本発明は、おむつの内部に配置して、排泄物を良好に吸収・保持させることが可能な連結吸収性物品、及びそれを提供可能な吸収性物品ユニットに関する。
【背景技術】
【０００２】
成人用の使い捨ておむつにおいては、おむつを交換する際の労力を軽減するため、使い捨ておむつと、尿取りパッド（尿パッド、インナーパッド、又は補助パッドともいう）とを併用する場合がある。この尿取りパッドは、使い捨ておむつと同様の吸収体を備えたものであるが、専ら尿の吸収を目的とする小型の吸収性物品である。このため、通常は、使い捨ておむつのトップシートの上面に載置した状態で用いられる（例えば、特許文献１参照）。そして、使い捨ておむつの着用者が排尿した際には、使い捨ておむつの全体ではなく、この尿取りパッドのみを交換する。従って、排尿の度に使い捨ておむつ全体を交換する方法と比較して、交換が簡便であるとともに、介護者の介護労力が軽減される。また、使い捨ておむつよりも低廉であるため、排尿の度に使い捨ておむつを交換する場合と比較して、コスト的にも有利である。
【０００３】
このような用途に用いられる尿取りパッドとしては、例えば、液透過性のトップシートと、液不透過性のバックシートと、これらの間に配置される吸収体とを備えたものが知られている（例えば、特許文献２及び３参照）。
【０００４】
【特許文献１】特開２００３−１６４４７７号公報（段落００２６、図３）
【特許文献２】特開２０００−１２６２２８号公報
【特許文献３】特開２０００−１３９９８２号公報
【発明の開示】
【発明が解決しようとする課題】
【０００５】
しかしながら、特許文献２及び３等で開示された通常の大きさの尿取りパッドは、サイズや形状の異なる種々の使い捨ておむつ、或いは着用時の姿勢や体型等の異なる多くの着用者に対して画一的に使用することが困難な場合がある。即ち、使い捨ておむつのサイズ等に合わせた細かなサイズ調整が困難であるといった問題がある。また、尿取りパッドの一部分のみが汚れた場合であっても、尿取りパッドの全体を交換することがあり、経済的にも資源的にも好ましいとはいえない。
【０００６】
一方、細かなサイズ調整等を可能とすべく、例えばミシン目等の分離手段を尿取りパッドに設け、除去又は交換を要する部分のみを分離可能とする方法が考えられる。しかしながら、除去等した部分を補うユニットが様々な形状となるため、現実的に運用可能な方法であるとはいえない。また、隣接するユニットどうしの間にミシン目等の分離手段（隙間）が存在し、吸収体が分断されてしまうため、この隙間から使い捨ておむつ側へと吸収漏れを生じてしまうといった不都合もある。
【０００７】
本発明は、このような従来技術の有する問題点に鑑みてなされたものであり、その課題とするところは、使い捨ておむつのサイズ等に合わせた細かなサイズ調整が容易であるとともに、除去又は交換を要する部分のみを分離可能であり、かつ、吸収漏れが生じ難い、尿取りパッド等として好適な連結吸収性物品を提供可能な吸収性物品ユニットを提供することにある。
【０００８】
また、本発明の課題とするところは、使い捨ておむつのサイズ等に合わせた細かなサイズ調整が容易であるとともに、除去又は交換を要する部分のみを分離可能であり、かつ、吸収漏れが生じ難い、尿取りパッド等として好適な連結吸収性物品を提供することにある。
【課題を解決するための手段】
【０００９】
本発明者らは上記課題を達成すべく鋭意検討した結果、トップシート部の端部とバックシート部の端部を接合して形成したシール領域のトップシート部側の面上に機械的係合手段を付設するとともに、バックシート部の、機械的係合手段が付設されたシール領域と対向する辺の端部に、この機械的係合手段と係合可能な係合領域を設けることによって、上記課題を達成することが可能であることを見出し、本発明を完成するに至った。
【００１０】
即ち、本発明によれば、以下に示す吸収性物品ユニット、及び連結吸収性物品が提供される。
【００１１】
［１］略四角板状を呈する吸収体と、トップシート部及びバックシート部を有するとともに、前記トップシート部及び前記バックシート部で前記吸収体を挟持して保持する、少なくとも前記トップシート部の一部が液透過性材料で構成された被覆シートと、を備え、前記トップシート部の端部と前記バックシート部の端部が接合された、少なくとも一つのシール領域が形成されており、前記シール領域の前記トップシート部側の面上に機械的係合手段が付設されているとともに、前記バックシート部の、前記機械的係合手段が付設された前記シール領域と対向する辺の端部に、前記機械的係合手段と係合可能な係合領域を有する吸収性物品ユニット。
【００１２】
［２］前記機械的係合手段が、前記シール領域の前記トップシート部側の面上に剥離可能に付設されている前記［１］に記載の吸収性物品ユニット。
【００１３】
［３］前記シール領域が、切り離し可能であるか、又は前記バックシート部側に折り返し可能である前記［１］に記載の吸収性物品ユニット。
【００１４】
［４］前記トップシート部と前記吸収体の少なくともいずれかに、尿に反応して変色する指示薬が塗布されている前記［１］〜［３］のいずれかに記載の吸収性物品ユニット。
【００１５】
［５］前記機械的係合手段が、メカニカルファスナーのフック材であるとともに、前記係合領域が、前記フック材と係合可能なループ材又は繊維状の表面を有する素材で構成されている前記［１］〜［４］のいずれかに記載の吸収性物品ユニット。
【００１６】
［６］前記バックシート部の面上に、メカニカルファスナーのフック材、又は粘着テープが付設されている前記［１］〜［５］のいずれかに記載の吸収性物品ユニット。
【００１７】
［７］前記［１］〜［６］のいずれかに記載の吸収性物品ユニットを複数備え、一の前記吸収性物品ユニットの前記機械的係合手段と、他の前記吸収性物品ユニットの前記係合領域とが係合することで連結した連結吸収性物品。
【発明の効果】
【００１８】
本発明の吸収性物品ユニットは、使い捨ておむつのサイズ等に合わせた細かなサイズ調整が容易であるとともに、除去又は交換を要する部分のみを分離可能であり、かつ、吸収漏れが生じ難い、尿取りパッド等として好適な連結吸収性物品を提供可能であるといった効果を奏するものである。このため、本発明の吸収性物品ユニットは、経済的にも資源的にも好ましいものであるとともに、介護者の負担軽減に資するものである。
【００１９】
本発明の連結吸収性物品は、使い捨ておむつのサイズ等に合わせた細かなサイズ調整が容易であるとともに、除去又は交換を要する部分のみを分離可能であり、かつ、吸収漏れが生じ難い、尿取りパッド等として好適であるといった効果を奏するものである。このため、本発明の連結吸収性物品は、経済的にも資源的にも好ましいものであるとともに、介護者の負担軽減に資するものである。
【発明を実施するための最良の形態】
【００２０】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００２１】
［１］吸収性物品ユニットの構成：
図１及び図３は、本発明の吸収性物品ユニットの一実施形態を模式的に示す上面図及び下面図である。また、図２は、図１のＡ−Ａ’断面図である。図１〜３に示すように、本実施形態の吸収性物品ユニット１は、略四角板状を呈する吸収体２と、被覆シート３とを備えたものである。被覆シート３は、トップシート部３ａ及びバックシート部３ｂを有し、トップシート部３ａとバックシート部３ｂで吸収体２を挟持して保持する部材であり、トップシート部３ａの少なくとも一部は、液透過性材料で構成されている。
【００２２】
トップシート部３ａの端部とバックシート部３ｂの端部は接合され、シール領域４が形成されている。このシール領域４のトップシート部３ａ側の面上には、機械的係合手段５が付設されている。一方、バックシート部３ｂの、機械的係合手段５が付設されたシール領域４と対向する辺の端部には、機械的係合手段５と係合可能な係合領域６を有している。
【００２３】
本実施形態の吸収性物品ユニット１は、シール領域４の所定箇所に機械的係合手段５が付設されており、バックシート部３ｂの所定箇所に、機械的係合手段５と係合可能な係合領域６を有するものである。このため、複数の吸収性物品ユニットを用意すれば、一の吸収性物品ユニットの機械的係合手段と、他の吸収性物品ユニットの係合領域とを係合させることができ、複数の吸収性物品ユニットが連結した吸収性物品（連結吸収性物品）とすることができる。
【００２４】
従って、本発明の吸収性物品ユニットを使用すれば、使い捨ておむつのサイズ等に合わせた細かなサイズ調整が容易な連結吸収性物品を提供することができる。また、このように連結して得られる連結吸収性物品は、尿、便、又は血液等で汚れた部分に対応する吸収性物品ユニットのみを分離して除去・交換等することが可能であり、経済的に有利であるとともに、省資源化に資するものである。また、本発明の吸収性物品ユニットは、その複数を連結させた場合であっても、隣接するユニットどうしの間にミシン目等の分離手段が配置されることがない。このため、複数の吸収性物品ユニットの吸収体を隙間なく配置することができるために、吸収漏れが生じ難く、使い捨ておむつ等のトップシート上に配設して使用される尿取りパッドを構成する要素（部材）として好適である。
【００２５】
図４及び図６は、本発明の吸収性物品ユニットの他の実施形態を模式的に示す上面図及び下面図である。また、図５は、図４のＢ−Ｂ’断面図である。図４〜６に示すように、吸収性物品ユニット１１の被覆シート１３は、それぞれ独立した部材であるトップシート１３ａ及びバックシート１３ｂを含み、これらトップシート１３ａとバックシート１３ｂで吸収体２を挟持して保持していてもよい。
【００２６】
また、図１０は、本発明の吸収性物品ユニットの更に他の実施形態を模式的に示す上面図である。図１０に示すように、本実施形態の吸収性物品ユニット３１においては、二箇所のシール領域４ａ，４ｂのそれぞれのトップシート部３ａ側の面上に機械的係合手段１５ａ，１５ｂが付設されている。このように、複数箇所のシール領域４ａ，４ｂに機械的係合手段１５ａ，１５ｂをそれぞれ付設することにより、吸収性物品ユニット３１を縦方向と横方向に二次元的に組み合わせ、所望とするサイズの連結吸収性物品を構成することができる。以下、本発明の吸収性物品ユニットの構成要素について詳細に説明する。
【００２７】
［２］吸収体：
吸収体は、略四角板状を呈する、着用者の尿を吸収して保持する部材である。吸収体は、着用者の尿を吸収し保持する必要性から、吸収性材料によって構成される。
【００２８】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として、熱融着繊維等の合成繊維を含んだものであってもよい。
【００２９】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００３０】
図１に示すように、吸収体２は、トップシート部３ａとバックシート部３ｂの間に挟み込まれ、その周縁部が封着されることによって、トップシートとバックシートとの間に介装される。従って、吸収体２の周縁部には、トップシート部３ａとバックシート部３ｂの間に吸収体２が介装されていないシール領域４（フラップ部）が形成される。なお、吸収体は、その全体が親水性シートによって包み込まれていることが好ましい。このような構成は、吸収体からＳＡＰが漏洩することを防止し、吸収体に形状安定性を付与することができるという利点がある。
【００３１】
なお、吸収体の表面側（例えば、吸収体とトップシート部との間）には、尿や体液等の液体を拡散させるためのシート（セカンドシート）を付帯的に配置してもよい。このセカンドシートを配置すると、着用者の姿勢等に起因してトップシート部裏面側の空間が十分に形成されないような場合でも、尿や体液等の吸収速度が低下し難く、吸収速度の低下による尿や体液等の漏れを防止することが可能となる。
【００３２】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００３３】
［３］被覆シート：
被覆シートは、図１に示すように、吸収体２を被覆してその内部に保持する機能を有し、トップシート部３ａ及びバックシート部３ｂを有する部材である。この被覆シートは、図１に示すように、トップシート部３ａとバックシート部３ｂを有する一つの部材を折り返して吸収体２を被覆するように構成されたものであってもよいし、図４に示すように、それぞれ独立した部材であるトップシート１３ａ及びバックシート１３ｂを含み、これらトップシート１３ａとバックシート１３ｂで吸収体２を被覆するように構成されたものであってもよい。即ち、図４に示す「トップシート１３ａ」及び「バックシート１３ｂ」は、図１に示す「トップシート部３ａ」及び「バックシート部３ｂ」にそれぞれ対応して機能する部材である。
【００３４】
［３−１］トップシート部：
トップシート部は、吸収体の表面（着用者の肌側に位置する面）を被覆するように配置される部分である。トップシート部は、その裏面側に配置された吸収体に、着用者の尿を吸収させる必要性から、その少なくとも一部（全部又は一部）が液透過性材料により構成される。通常、少なくとも吸収体の表面近傍については、着用者の尿や体液を透過させ得る液透過性の材料によって構成される。少なくとも一部が液透過性材料により構成されている限り、必ずしもトップシート全体が液透過性材料で構成されている必要はない。
【００３５】
トップシート部を構成する液透過性材料としては、例えば、織布、不織布、多孔性フィルム等を挙げることができる。なかでも、ポリプロピレン、ポリエチレン、ポリエステル、ナイロン等の熱可塑性樹脂からなる不織布に親水化処理を施したものを用いることが好ましい。不織布の種類についても特に制限はなく、エアースルー（カード熱風）、カードエンボス、スパンボンド等の各種製法によって製造された従来公知の不織布を好適に用いることができる。
【００３６】
なお、図１に示すように、トップシート部３ａには、尿に反応して変色する指示薬８が塗布されていることが好ましい。このように構成することにより、着用者の尿等で汚れた吸収性物品ユニット１の位置を容易に判別することができ、交換又は除去を要する吸収性物品ユニット１のみを効率的に交換等することができる。なお、指示薬が塗布される場所は、トップシート部に限定されるものではなく、吸収体であってもよく、或いはトップシート部と吸収体の両方であってもよい。
【００３７】
指示薬は、尿に濡れたときに色調が変化する指示薬であればよく、尿（水）と反応して変色する油溶性インキ、尿と反応して変色するホットメルト接着剤、尿と反応して変色する水溶性インキ等を使用することができる。尿と反応して変色するホットメルト接着剤としては、ニッタフィンドレイ社製のホットメルトウエットネスインジケーター（商品名）が一般に知られている。
【００３８】
［３−２］バックシート部：
バックシート部は、吸収体の裏面（使い捨ておむつ側（着用者の着衣側）に位置する面）を被覆するように配置される部分である。バックシート部の、機械的係合手段が付設されたシール領域と対向する辺の端部には係合領域が配置される。少なくともこの係合領域は、機械的係合手段と係合させる必要性があることから、例えば機械的係合手段がメカニカルファスナーのフック材である場合には、通常、フック材と係合可能なループ材、又は繊維状の表面を有する素材で構成されている。繊維状の表面を有する素材の具体例としては、織布、不織布、フェルト、パイル等を挙げることができる。
【００３９】
バックシート部の係合領域以外の領域は、特に限定されないが、例えば液不透過性材料によって構成されていてもよい。液不透過性材料としては、例えば、ポリエチレン等の樹脂からなる液不透過性フィルム等を挙げることができる。なかでも、微多孔性ポリエチレンフィルムを用いることが好ましい。この微多孔性ポリエチレンフィルムは、０．１〜数μｍの微細な孔が多数形成されており、液不透過性ではあるが透湿性を有するため、蒸れを防止することができるという利点がある。
【００４０】
なお、図２及び図３に示すように、バックシート部３ｂの面上には、使い捨ておむつ等のトップシート上に固定するための、フック材３６や粘着テープ等の固定手段を付設することが好ましい。このような固定手段を付設することにより、吸収性物品ユニット１を使い捨ておむつ等の内面に固定することができ、位置ずれを有効に防止することができる。
【００４１】
［３−３］シール領域、機械的係合手段：
吸収体２を被覆シート３内に挟持して保持するには、例えば図１に示すように、被覆シート３のトップシート部３ａとバックシート部３ｂで吸収体２を挟み込むとともに、被覆シート３の周縁部（トップシート部３ａの端部とバックシート部３ｂの端部）を、ヒートシールやホットメルト等の方法で接合してシール領域４を形成すればよい。
【００４２】
シール領域４のトップシート部３ａ側の面上には、機械的係合手段５が付設されている。機械的係合手段５の具体例としては、メカニカルファスナーのフック材等を挙げることができる。なお、「メカニカルファスナー（面状ファスナーともいう）」は、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このファスナーは、ループ材の表面にフック材を重ね合わせ、フック材の多数の突起をループ材の表面に係合させることにより、両部材を着脱可能な状態に、かつ、強固に固着させることができるものである。
【００４３】
また、メカニカルファスナーのフック材は、これと対応するメカニカルファスナーのループ材以外にも、織布、不織布、フェルト、パイル等の繊維状の表面を有する素材にも係合させることが可能である。従って、メカニカルファスナーのループ材だけでなく、フック材と結合可能な繊維状の表面を有する素材（例えば、織布、不織布、フェルト、パイル等）からなるシート材と結合させることができるために好ましい。
【００４４】
機械的係合手段５の大きさについては、他の吸収性物品ユニットと適度に連結可能であり、かつ、使い捨ておむつ着用中に分離しない程度の結合力が得られるものであれば特に制限はない。例えばシール領域４の全面に付設される大きさであっても、シール領域４の一部にのみ付設される大きさであってもよい。
【００４５】
被覆シート３の周縁部を接合して形成されたシール領域４は、十分に薄いものである。従って、使い捨ておむつのトップシート上に配置して使用する場合には、一般的にざらついた感触を有するフック材等の機械的係合手段５を、着用者の肌面に触れないようにバックシート部３ｂ側に折り返すことができる。また、図１及び図３に示すように、シール領域４の端部にミシン目７等の切り離し手段を設け、機械的係合手段５が付設されたシール領域４を切り離し可能にすることも好ましい。更には、メカニカルファスナー等の着脱可能な係合手段でシール領域４上に機械的係合手段５を付設することも同様に好ましい。
【００４６】
［４］連結吸収性物品の構成：
図７は、本発明の連結吸収性物品の一実施形態を模式的に示す上面図である。また、図８は、図７のＣ−Ｃ’断面図である。図７及び図８に示すように、本実施形態の連結吸収性物品１０は、上述してきた吸収性物品ユニット２１ａ，２１ｂ，２１ｃを複数備え、一の吸収性物品ユニット２１ａの機械的係合手段５と、他の吸収性物品ユニット２１ｂの係合領域６とが係合することで連結したものである。
【００４７】
本実施形態の連結吸収性物品１０は、複数の吸収性物品ユニット２１ａ，２１ｂ，２１ｃを連結することで構成される吸収性の物品である。このため、構成単位となる吸収性物品ユニット２１ａ，２１ｂ，２１ｃの数を調整することで、容易に細かなサイズ調整をすることができる。また、尿、便、又は血液等で汚れた部分に対応する吸収性物品ユニット２１ａ，２１ｂ，２１ｃのみを分離して除去・交換等することが可能であり、経済的に有利であるとともに、省資源化に資するものである。更には、隣接する吸収性物品ユニット２１ａ，２１ｂ，２１ｃどうしの間にミシン目等の分離手段が配置されることがない。このため、複数の吸収性物品ユニット２１ａ，２１ｂ，２１の吸収体が隙間なく配置されているために、吸収漏れが生じ難く、使い捨ておむつ等のトップシート上に配設して使用される尿取りパッドとして好適である。
【００４８】
［５］連結吸収性物品の使用方法：
シール領域４は、吸収体を保持する被覆シートの周縁部が接合されて形成された領域であり、十分に薄い領域である。このため、本実施形態の連結吸収性物品１０を使い捨ておむつのトップシート上に配置し、尿取りパッドとして使用するに際しては、機械的係合手段５が付設されていないシール領域４を、バックシート部側（着用者の肌面と反対の側）に折り返すことができる。機械的係合手段５が付設されていないシール領域４を折り返すことで、一般的にざらついた感触を有するシール領域４を着用者の肌面に触れないようにすることができる。
【００４９】
図１１は、本発明の連結吸収性物品の他の実施形態を模式的に示す上面図である。図１１に示すように、複数の機械的係合手段１５ａ，１５ｂを有する吸収性物品ユニット４１を複数個用意すれば、これらを縦方向と横方向に二次元的に組み合わせ、所望とする形状・サイズの連結吸収性物品２０を構成することができる。
【００５０】
図１２は、本発明に係る連結吸収性物品を使い捨ておむつの内部に配置した状態の一例を示す模式図である。なお、図１２中、符号１６は外装部材、符号２５は止着テープ、符号２６，２６ａ，２６ｂは立体ギャザー、及び符号４６はフック材をそれぞれ示す。図１２に示すように、本実施形態の連結吸収性物品３０を、尿取りパッドとして使用する場合には、使い捨ておむつ５０のトップシート１８上に連結吸収性物品３０を配置すればよい。なお、使い捨ておむつ５０のサイズや形状、着用者の体型、或いは着用者毎に固有の尿が排泄され易い箇所等に合わせて、連結させる吸収性物品ユニット５１の数や配置を適宜設定することができる。このため、本実施形態の連結吸収性物品３０は、細かなサイズ調整が極めて容易なものである。
【００５１】
図１３は、本発明に係る連結吸収性物品を使い捨ておむつの内部に配置した状態の他の例を示す模式図である。図１３に示すように、使い捨ておむつ５０のトップシート１８上に連結吸収性物品３０を配置する場合に、例えば側臥位の着用者に対応して片側の吸収能を補強すべく、一部の吸収性物品ユニット６１を立体ギャザー２６ａの上に配置することも可能である。即ち、本実施形態の連結吸収性物品３０は、複数の吸収性物品ユニット５１，６１を組み合わせて構成されるものであるため、従来の尿取りパッド等に比して形状の自由度が極めて高く、着用者の体型や体勢等に臨機応変に対応させて用いることができる。
【００５２】
また、図１２及び図１３に示すように、本実施形態の連結吸収性物品３０は、尿、便、又は血液等で汚れた部分に対応する吸収性物品ユニット５１，６１のみを分離して除去することが可能である。そして、除去した吸収性物品ユニット５１，６１に代えて、新しい吸収性物品ユニット５１，６１を容易かつ速やかに連結させることができる。従って、本実施形態の連結吸収性物品３０は、経済的に有利であるとともに、省資源化に資するものであり、かつ、介護者等の負担を軽減することができるものである。なお、図１２及び図１３では、本発明の連結吸収性物品を、いわゆるテープタイプの使い捨ておむつの内部に配置して用いる場合を例に挙げて説明したが、これに限定されるものではなく、いわゆるパンツタイプの使い捨ておむつの内部に配置して用いることもできる。
【産業上の利用可能性】
【００５３】
本発明の吸収性物品ユニットは、使い捨ておむつの内部に配置して使用される尿取りパッド等として好適な連結吸収性物品を提供することができる。また、本発明の連結吸収性物品は、使い捨ておむつの内部に配置して使用される尿取りパッド等として好適である。
【図面の簡単な説明】
【００５４】
【図１】本発明の吸収性物品ユニットの一実施形態を模式的に示す上面図である。
【図２】図１のＡ−Ａ’断面図である。
【図３】本発明の吸収性物品ユニットの一実施形態を模式的に示す下面図である。
【図４】本発明の吸収性物品ユニットの他の実施形態を模式的に示す上面図である。
【図５】図４のＢ−Ｂ’断面図である。
【図６】本発明の吸収性物品ユニットの他の実施形態を模式的に示す下面図である。
【図７】本発明の連結吸収性物品の一実施形態を模式的に示す上面図である。
【図８】図７のＣ−Ｃ’断面図である。
【図９】本発明に係る連結吸収性物品の使用状態の一例を模式的に示す上面図である。
【図１０】本発明の吸収性物品ユニットの更に他の実施形態を模式的に示す上面図である。
【図１１】本発明の連結吸収性物品の他の実施形態を模式的に示す上面図である。
【図１２】本発明に係る連結吸収性物品を使い捨ておむつの内部に配置した状態の一例を示す模式図である。
【図１３】本発明に係る連結吸収性物品を使い捨ておむつの内部に配置した状態の他の例を示す模式図である。
【符号の説明】
【００５５】
１，１１，２１ａ，２１ｂ，２１ｃ，３１，４１，５１，６１：吸収性物品ユニット、２：吸収体、３，１３：被覆シート、３ａ：トップシート部、３ｂ：バックシート部、４，４ａ，４ｂ：シール領域、５，１５ａ，１５ｂ：機械的係合手段、６：係合領域、７：ミシン目、８：指示薬、１０，２０，３０：連結吸収性物品、１３ａ，１８：トップシート、１３ｂ：バックシート、１６：外装部材、２５：止着テープ、２６，２６ａ，２６ｂ：立体ギャザー、３６，４６：フック材、５０：使い捨ておむつ
【図１】
2009219685.tif 000003
【図２】
2009219685.tif 000004
【図３】
2009219685.tif 000005
【図４】
2009219685.tif 000006
【図５】
2009219685.tif 000007
【図６】
2009219685.tif 000008
【図７】
2009219685.tif 000009
【図８】
2009219685.tif 000010
【図９】
2009219685.tif 000011
【図１０】
2009219685.tif 000012
【図１１】
2009219685.tif 000013
【図１２】
2009219685.tif 000014
【図１３】
2009219685.tif 000015